(57)【要約】【課題】本発明は、面発光パネルへの給電配線の設置が容易で外観が優れた住宅用内装品、室内用作業装置、手摺装置、洗面台ユニット、框構造、並びに、梁構造を提供する。【解決手段】複数の面発光パネルと、長さ方向に延び一対の保持部と規制部を有する保持部材と、給電配線を有し、面発光パネルは、一方の主面が点灯時に発光する発光領域を含む発光面であって、他方の主面が給電配線と接続可能な給電部を含む給電面であり、各面発光パネルは、一対の保持部の間に配されて所定の方向に並べられており、面発光パネルは、幅方向に対向する２辺が一対の保持部に保持されて幅方向の移動を規制され、規制部によって長さ方向への移動が規制されており、保持部材は、給電面側に給電配線を通過可能な配線空間を備えており、配線空間は、幅が給電面の幅よりも小さく、かつ対向する２辺よりも内側に配されている構成とする。【選択図】図４
2019197656.tif 000002
【特許請求の範囲】
【請求項１】
複数の面発光パネルと、各面発光パネルを保持する保持部材と、前記面発光パネルに給電する給電配線を有する住宅用内装品であって、
前記保持部材は、所定の方向に延びるものであって、一対の保持部と、規制部を有し、
前記面発光パネルは、一方の主面が点灯時に発光する発光領域を含む発光面であって、他方の主面が前記給電配線と接続可能な給電部を含む給電面であり、
前記面発光パネルは、前記発光面を正面視したときに、前記所定の方向に対する直交方向に対向する２辺を有し、
各面発光パネルは、前記一対の保持部の間に配されて前記所定の方向に並べられており、
前記面発光パネルは、前記２辺が前記一対の保持部に保持されて前記直交方向の移動を規制されており、
前記面発光パネルは、前記規制部によって前記所定の方向への移動が規制されており、
前記保持部材は、前記面発光パネルの給電面側に前記給電配線を通過可能な配線空間を備えており、
前記配線空間は、前記発光面を正面視したときに、前記直交方向における長さが前記給電面の長さよりも小さく、かつ前記対向する２辺よりも内側に配されていることを特徴とする住宅用内装品。
【請求項２】
前記保持部材は、前記面発光パネルの前記給電面に接触する直接的又は間接的に接触する接触面を有し、
前記配線空間は、前記接触面の一部に形成された凹溝によって構成されており、
前記給電配線は、前記凹溝内に配され、前記凹溝に沿って延びていることを特徴とする請求項１に記載の住宅用内装品。
【請求項３】
前記保持部は、前記発光面の一部を覆う発光側覆部と、前記給電面の一部を覆う給電側覆部を有し、
前記面発光パネルは、前記発光側覆部と前記給電側覆部によって厚み方向に挟持されていることを特徴とする請求項１又は２に記載の住宅用内装品。
【請求項４】
第２面発光パネルを有し、
前記第２面発光パネルは、一方の主面が点灯時に発光する第２発光領域を含む第２発光面であり、
前記保持部材は、対向する２面を有し、
前記２面のうち、一方の面に前記面発光パネルが取り付けられており、他方の面に前記第２面発光パネルが取り付けられており、
前記面発光パネルの発光面は、前記第２面発光パネルの第２発光面とは反対側を向いていることを特徴とする請求項１乃至３のいずれかに記載の住宅用内装品。
【請求項５】
前記発光領域の前記直交方向の長さは、前記第２発光領域の前記直交方向の長さよりも大きいことを特徴とする請求項４に記載の住宅用内装品。
【請求項６】
前記所定の方向に延びた固定構造物の周囲を囲む住宅用内装品であって、
前記保持部材は、前記固定構造物を囲繞する囲繞部を備えていることを特徴とする請求項１乃至５のいずれかに記載の住宅用内装品。
【請求項７】
化粧板を有し、
前記化粧板は、前記一対の保持部によって保持されるものであって、前記発光面と対面しており、
前記面発光パネルは、点灯時に発光領域から放射される光が前記化粧板を透過することを特徴とする請求項１に記載の住宅用内装品。
【請求項８】
前記化粧板は、結晶化ガラス板であることを特徴とする請求項７に記載の住宅用内装品。
【請求項９】
請求項１に記載の住宅用内装品と、水平作業面をもつ作業台を有する室内用作業装置であって、
前記面発光パネルの発光面は、前記水平作業面を通る仮想面に対して直交しており、
前記面発光パネルの前記発光領域の下端部は、前記水平作業面から１ｃｍ以上１５ｃｍ以下の高さに位置していることを特徴とする室内用作業装置。
【請求項１０】
請求項１に記載の住宅用内装品で構成される手摺装置であって、
前記住宅用内装品は、前記規制部を複数有し、
前記規制部は、前記住宅用内装品を壁面に対して固定するものであり、
前記保持部材は、使用者が把持可能な把持部を有し、
前記面発光パネルの発光面は、前記壁面と間隔を空けて対面しており、
前記規制部は、前記所定の方向に隣接する２つの面発光パネルの間に配されており、
前記住宅用内装品は、前記規制部によって壁面に対して固定されることを特徴とする手摺装置。
【請求項１１】
請求項１に記載の住宅用内装品と、水栓を有した洗面台を備える洗面台ユニットであって、
前記保持部材は、鏡本体部を有し、
前記鏡本体部は、発光部を含む鏡面形成面を有し、点灯時に前記発光部が発光し、消灯時に前記鏡面形成面の全面が鏡となるものであり、
前記鏡本体部は、前記水栓の上方に位置しており、
前記面発光パネルは、前記発光面が前記水栓と対向していることを特徴とする洗面台ユニット。
【請求項１２】
請求項１に記載の住宅用内装品を床面に載置する框構造であって、
前記保持部材は、本体部と、前記本体部から水平方向に張り出した張出部を有し、
前記張出部は、前記一対の保持部と、前記配線空間を備えており、
前記面発光パネルは、前記一対の保持部によって保持されて、前記発光面が前記床面と対向していることを特徴とする框構造。
【請求項１３】
請求項１に記載の住宅用内装品を所定の方向に延びた梁本体に設置する梁構造であって、
前記保持部材は、前記梁本体の周囲を囲繞する囲繞部を備えており、
前記梁本体は、前記保持部材の配線空間と連通する連通空間を有し、
前記連通空間は、前記給電配線を通過可能であって、前記発光面を正面視したときに、前記直交方向における長さが前記配線空間の前記直交方向における長さよりも小さいことを特徴とする梁構造。
【発明の詳細な説明】
【技術分野】
【０００１】
本発明は、有機ＥＬパネルや、無機ＥＬパネル、ＬＥＤを面状に敷き詰めたＬＥＤパネル等の面発光パネルを備えた住宅用内装品に関する。また、本発明は、当該住宅用内装品を使用した室内用作業装置、手摺装置、洗面台ユニット、框構造、及び梁構造に関する。
【背景技術】
【０００２】
従来から、住宅で使用される照明として、ダクトレールに支持体を介して有機ＥＬパネルを取り付け、有機ＥＬパネルをダクトレールの長手方向に移動可能とする照明装置が知られている（例えば、特許文献１）。
また、有機ＥＬパネルは、白熱灯や蛍光灯に比べて厚さが極めて薄く、且つ面状で柔らかい光を放射可能なので、設置場所の制約が少ないという特長を有する。
【先行技術文献】
【特許文献】
【０００３】
【特許文献１】特開２０１３−１３４８５３号公報
【発明の概要】
【発明が解決しようとする課題】
【０００４】
しかしながら、特許文献１の照明装置は、ダクトレールから給電配線を内蔵した支持体が張り出し、外部に露出するため、見栄えが悪いという問題がある。
また、ダクトレールからの支持体の張出長さだけ天井から有機ＥＬパネルが下がった状態となってしまい、薄いという有機ＥＬパネルの特長が損なわれてしまうという問題がある。
【０００５】
そこで、本発明は、面発光パネルへの給電配線の設置が容易であって、外観が優れた住宅用内装品、室内用作業装置、手摺装置、洗面台ユニット、框構造、並びに、梁構造を提供することを目的とする。
【課題を解決するための手段】
【０００６】
上記した課題を解決するための請求項１に記載の発明は、複数の面発光パネルと、各面発光パネルを保持する保持部材と、前記面発光パネルに給電する給電配線を有する住宅用内装品であって、前記保持部材は、所定の方向に延びるものであって、一対の保持部と、規制部を有し、前記面発光パネルは、一方の主面が点灯時に発光する発光領域を含む発光面であって、他方の主面が前記給電配線と接続可能な給電部を含む給電面であり、前記面発光パネルは、前記発光面を正面視したときに、前記所定の方向に対する直交方向に対向する２辺を有し、各面発光パネルは、前記一対の保持部の間に配されて前記所定の方向に並べられており、前記面発光パネルは、前記２辺が前記一対の保持部に保持されて前記直交方向の移動を規制されており、前記面発光パネルは、前記規制部によって前記所定の方向への移動が規制されており、前記保持部材は、前記面発光パネルの給電面側に前記給電配線を通過可能な配線空間を備えており、前記配線空間は、前記発光面を正面視したときに、前記直交方向における長さが前記給電面の長さよりも小さく、かつ前記対向する２辺よりも内側に配されていることを特徴とする住宅用内装品である。
【０００７】
本発明の構成によれば、面発光パネルは、一対の保持部に保持されて直交方向の移動を規制されており、さらに規制部によって所定の方向への移動が規制されている、そのため、面発光パネルを特定の位置に固定することができる。
本発明の構成によれば、面発光パネルの給電面側に、給電面の長さよりも小さく対向する２辺よりも内側に位置する配線空間が設けられている。そのため、給電配線を面発光パネルの給電面側の配線空間に這わすことができ、面発光パネルの発光面を正面視したときに給電配線が面発光パネルによって隠されて見えにくく、外観に優れている。
【０００８】
請求項２に記載の発明は、前記保持部材は、前記面発光パネルの前記給電面に接触する直接的又は間接的に接触する接触面を有し、前記配線空間は、前記接触面の一部に形成された凹溝によって構成されており、前記給電配線は、前記凹溝内に配され、前記凹溝に沿って延びていることを特徴とする請求項１に記載の住宅用内装品である。
【０００９】
本発明の構成によれば、接触面によって面発光パネルの給電面が面状に支持されているため、面発光パネルに押圧力が加わった場合に面発光パネルが破損しにくい。
本発明の構成によれば、凹溝に給電配線を這わすため、給電配線を所望の位置に固定しやすい。
【００１０】
請求項３に記載の発明は、前記保持部は、前記発光面の一部を覆う発光側覆部と、前記給電面の一部を覆う給電側覆部を有し、前記面発光パネルは、前記発光側覆部と前記給電側覆部によって厚み方向に挟持されていることを特徴とする請求項１又は２に記載の住宅用内装品である。
【００１１】
本発明の構成によれば、面発光パネルが発光側覆部と給電側覆部によって挟持されている。すなわち、面発光パネルが厚み方向の移動を規制されているため、面発光パネルが外れにくい。
【００１２】
請求項４に記載の発明は、第２面発光パネルを有し、前記第２面発光パネルは、一方の主面が点灯時に発光する第２発光領域を含む第２発光面であり、前記保持部材は、対向する２面を有し、前記２面のうち、一方の面に前記面発光パネルが取り付けられており、他方の面に前記第２面発光パネルが取り付けられており、前記面発光パネルの発光面は、前記第２面発光パネルの第２発光面とは反対側を向いていることを特徴とする請求項１乃至３のいずれかに記載の住宅用内装品である。
【００１３】
本発明の構成によれば、２つの面発光パネルが互いに逆の方向に光を放射する発光面を有しているため、空間を２つの光空間に仕切ることができ、従来にはない光空間を演出できる。
【００１４】
請求項５に記載の発明は、前記発光領域の前記直交方向の長さは、前記第２発光領域の前記直交方向の長さよりも大きいことを特徴とする請求項４に記載の住宅用内装品である。
【００１５】
本発明の構成によれば、例えば、玄関等の吹き抜け空間において、幅の大きい発光領域を天井側に向け、幅の小さい第２発光領域を床面側に向けて設置することで、天井を大きく照らして使用者に大きく広がった心証を与えつつ、使用者側も照らすことができるので、吹き抜け空間全体を照らすことができる。
【００１６】
請求項６に記載の発明は、前記所定の方向に延びた固定構造物の周囲を囲む住宅用内装品であって、前記保持部材は、前記固定構造物を囲繞する囲繞部を備えていることを特徴とする請求項１乃至５のいずれかに記載の住宅用内装品置である。
【００１７】
本発明の構成によれば、既設の固定構造物に取り付けることができる。
【００１８】
請求項７に記載の発明は、化粧板を有し、前記化粧板は、前記一対の保持部によって保持されるものであって、前記発光面と対面しており、前記面発光パネルは、点灯時に発光領域から放射される光が前記化粧板を透過することを特徴とする請求項１に記載の住宅用内装品である。
【００１９】
本発明の構成によれば、例えば、化粧板に所定の模様の化粧板を使用することで、消灯時に所定の模様が呈され、点灯時に光を照射できる。そのため、優れた外観を有する住宅用内装品となる。
【００２０】
請求項７に記載の住宅用内装品において、前記化粧板は、結晶化ガラス板であることが好ましい（請求項８）。
【００２１】
請求項９に記載の発明は、請求項１に記載の住宅用内装品と、水平作業面をもつ作業台を有する室内用作業装置であって、前記面発光パネルの発光面は、前記水平作業面を通る仮想面に対して直交しており、前記面発光パネルの前記発光領域の下端部は、前記水平作業面から１ｃｍ以上１５ｃｍ以下の高さに位置していることを特徴とする室内用作業装置である。
【００２２】
本発明の構成によれば、水平作業面を適度に照らしつつ、水平作業面に水たまり等の液溜まりが形成された場合でも面発光パネルの発光領域が液溜まりに浸かりにくく、短絡等の発生を防止できる。
【００２３】
請求項１０に記載の発明は、請求項１に記載の住宅用内装品で構成される手摺装置であって、前記住宅用内装品は、前記規制部を複数有し、前記規制部は、前記住宅用内装品を壁面に対して固定するものであり、前記保持部材は、使用者が把持可能な把持部を有し、前記面発光パネルの発光面は、前記壁面と間隔を空けて対面しており、前記規制部は、前記所定の方向に隣接する２つの面発光パネルの間に配されており、前記住宅用内装品は、前記規制部によって壁面に対して固定されることを特徴とする手摺装置である。
【００２４】
本発明の構成によれば、壁面に対して対面して設けられているので、壁面に沿って壁面の広範囲を照らすことができ、より安全に把持部を把持できる。
【００２５】
請求項１１に記載の発明は、請求項１に記載の住宅用内装品と、水栓を有した洗面台を備える洗面台ユニットであって、前記保持部材は、鏡本体部を有し、前記鏡本体部は、発光部を含む鏡面形成面を有し、点灯時に前記発光部が発光し、消灯時に前記鏡面形成面の全面が鏡となるものであり、前記鏡本体部は、前記水栓の上方に位置しており、前記面発光パネルは、前記発光面が前記水栓と対向していることを特徴とする洗面台ユニットである。
【００２６】
本発明の構成によれば、面発光パネルが水栓と対向しているので、手洗い等を行いやすい。
【００２７】
請求項１２に記載の発明は、請求項１に記載の住宅用内装品を床面に載置する框構造であって、前記保持部材は、本体部と、前記本体部から水平方向に張り出した張出部を有し、前記張出部は、前記一対の保持部と、前記配線空間を備えており、前記面発光パネルは、前記一対の保持部によって保持されて、前記発光面が前記床面と対向していることを特徴とする框構造である。
【００２８】
本発明の構成によれば、足元を張出部の縁に沿って広範囲に照らすことができ、使用者が床面との段差に気づきやすい。
【００２９】
請求項１３に記載の発明は、請求項１に記載の住宅用内装品を所定の方向に延びた梁本体に設置する梁構造であって、前記保持部材は、前記梁本体の周囲を囲繞する囲繞部を備えており、前記梁本体は、前記保持部材の配線空間と連通する連通空間を有し、前記連通空間は、前記給電配線を通過可能であって、前記発光面を正面視したときに、前記直交方向における長さが前記配線空間の前記直交方向における長さよりも小さいことを特徴とする梁構造である。
【００３０】
本発明の構成によれば、面発光パネルを特定の位置に固定することができる。
本発明の構成によれば、給電配線を面発光パネルの給電面側の配線空間に這わすことができ、面発光パネルの発光面を正面視したときに給電配線が面発光パネルによって隠されて見えにくく、外観に優れている。
【発明の効果】
【００３１】
本発明の住宅用内装品、室内用作業装置、手摺装置、洗面台ユニット、框構造、並びに、梁構造によれば、面発光パネルへの給電配線の設置が容易であって、外観が優れている。
【図面の簡単な説明】
【００３２】
【図１】本発明の第１実施形態のインテリア構造を模式的に示した斜視図である。
【図２】図１の梁構造の斜視図であり、（ａ）は天井側からみた斜視図であり、（ｂ）は床面側からみた斜視図である。
【図３】図２の住宅用内装品の分解斜視図である。
【図４】図２の住宅用内装品の断面斜視図である。
【図５】図２の梁構造の断面図である。
【図６】図２の第１面発光パネル及び第２面発光パネルの説明図であり、（ａ）は第１面発光パネルの正面図であり、（ｂ）は第１面発光パネルの背面図であり、（ｃ）は第２面発光パネルの正面図であり、（ｄ）は第２面発光パネルの背面図である。
【図７】図１の框構造の斜視図である。
【図８】図１の框構造を床面側からみた斜視図である。
【図９】図８の框構造の分解斜視図である。
【図１０】図７の框構造の断面図である。
【図１１】本発明の第２実施形態の室内用作業装置を模式的に示した斜視図である。
【図１２】図１１の要部の分解斜視図である。
【図１３】図１１の室内用作業装置の断面図である。
【図１４】図１１の室内用作業装置の正面図である。
【図１５】本発明の第３実施形態の手摺装置を模式的に示した斜視図である。
【図１６】図１５の手摺装置を壁面側からみた斜視図である。
【図１７】図１６の手摺装置の分解斜視図である。
【図１８】図１５の手摺装置の断面図である。
【図１９】本発明の第４実施形態の洗面台ユニットを模式的に示した斜視図である。
【図２０】図１９の住宅用内装品を洗面台側からみた斜視図である。
【図２１】図１９の洗面台ユニットの断面図である。
【図２２】図１９の住宅用内装品の分解斜視図である。
【図２３】図２１の洗面台ユニットの説明図であり、（ａ）の消灯時を表す正面図であり、（ｂ）は点灯時の状態を表す正面図であり、点灯時の光放射をドット及び矢印で示している。
【発明を実施するための形態】
【００３３】
以下、本発明の実施形態について詳細に説明する。
【００３４】
本発明の第１実施形態のインテリア構造１は、図１のように、居住空間２内に梁構造３と框構造５を備えたものである。本実施形態の居住空間２は、玄関ホール等の吹き抜け空間であり、複数階に亘って広がり、天井が高い開放空間となっている。
【００３５】
まず、梁構造３について説明する。
梁構造３は、図１のように居住空間２に露出するいわゆるあらわし梁であり、図２のように、梁本体１０と、住宅用内装品１１を備えている。
梁本体１０は、図１から読み取れるように、床面６に対して直立した壁面７ａ，７ｂに立設された固定構造物であり、対向する壁面７ａ，７ｂ間を繋ぐものである。
梁本体１０は、図５のように、本体部１２と、第１梁側配線溝１３と、第２梁側配線溝１４を備えている。
本体部１２は、断面形状が四角形状で、図２のように所定の方向Ｘ（以下、長さ方向Ｘともいう）に延びる柱体であり、天面１５と底面１６を備えた角柱である。
第１梁側配線溝１３は、図５のように本体部１２の天面１５に設けられた凹溝であり、本体部１２の天面１５から下方（中心側）に延びた有底溝である。
第２梁側配線溝１４は、本体部１２の底面１６に設けられた凹溝であり、本体部１２の底面１６から上方（中心側）に延びた有底溝である。
【００３６】
住宅用内装品１１は、図３のように、第１面発光パネル２０と、第２面発光パネル２１と、保持部材２２と、第１給電配線２３と、第２給電配線２４と、規制部２５，２６を備えている。
第１面発光パネル２０は、図６（ａ），図６（ｂ）のように、面状に広がりをもった板状パネルであり、点灯時に発光領域３０から面状の拡散光が照射される面状光源である。
第１面発光パネル２０は、一方の主面が発光面３１を構成し、他方の主面が給電面３２を構成している。
発光面３１は、点灯時に発光する発光領域３０を含む面である。
給電面３２は、発光面３１の反対面であって、第１給電配線２３（図４参照）と接続可能な給電部３３を含む面であり、給電部３３を第１給電配線２３と接続することで、外部から給電可能となっている。
本実施形態の第１面発光パネル２０は、四角形状の有機ＥＬパネルであり、図６（ａ）のように、発光面３１を正面視したときに横方向に延びる横辺３５，３６と、縦方向に延びる縦辺３７，３８を備えている。
横辺３５，３６は、縦方向に対向して平行となる２辺であり、縦辺３７，３８は、横方向に対向して平行となる残りの２辺である。
【００３７】
第２面発光パネル２１は、図６（ｃ），図６（ｄ）のように、面状に広がりをもち、横方向Ｘの延びた長板状パネルであり、点灯時に第２発光領域４０から面状の拡散光が照射される面状光源である。
第２面発光パネル２１は、一方の主面が発光面４１を構成し、他方の主面が給電面４２を構成している。
発光面４１は、点灯時に発光する発光領域４０を含む面である。
給電面４２は、発光面４１の反対面であって、第２給電配線２４（図４参照）と接続可能な給電部４３を含む面であり、給電部４３を第２給電配線２４と接続することで外部から給電可能となっている。
本実施形態の第２面発光パネル２１は、長方形状の有機ＥＬパネルであり、図６（ｃ）のように、発光面４１を正面視したときに横方向に延びる長辺たる横辺４５，４６と、縦方向に延びる短辺たる縦辺４７，４８を備えている。
横辺４５，４６は、縦方向に対向して平行となる２辺であり、縦辺４７，４８は、横方向に対向して平行となる残りの２辺である。
【００３８】
保持部材２２は、図４のように、各面発光パネル２０，２１を保持する部材であって、各面発光パネル２０，２１を梁本体１０に対して取り付ける取付部材でもある。
保持部材２２は、図３のように一対の保持本体２７，２８によって構成されている。
第１保持本体２７と第２保持本体２８は、同様の構造を有する部材であり、左右対称となっている。そこで、以下の説明においては、第１保持本体２７について主に説明し、第２保持本体２８については、第１保持本体２７と同様の構成において同様の付番をして説明を省略する。
【００３９】
各保持本体２７，２８は、図３のように、第１保持部５０と、第２保持部５１と、連結部５２を備えている。
第１保持部５０は、第１面発光パネル２０を保持する部位である。
第１保持部５０は、第１内側保持部５５と、第１外側保持部５６で構成されており、保持部５５，５６によって保持凹部５４が形成されている。
【００４０】
第１内側保持部５５は、長さ方向Ｘに延びた板状体であり、給電側覆部５７を備えている。
給電側覆部５７は、第１面発光パネル２０の給電面３２の一部を覆う部位であり、組み立て時に第１面発光パネル２０の給電面３２と面接触する接触面６０を有している。
第１外側保持部５６は、第１内側保持部５５と対をなし、第１内側保持部５５とともに第１面発光パネル２０を挟持する部位である。
第１外側保持部５６は、図３のように長さ方向Ｘに延びた板状体であり、発光側覆部５８と、端面側覆部５９を備えている。
発光側覆部５８は、第１面発光パネル２０の発光面３１の一部を覆う部位である。
端面側覆部５９は、第１面発光パネル２０の端面を覆う部位であり、発光側覆部５８から給電側覆部５７に向かって立ち上がった立壁部である。
【００４１】
保持凹部５４は、図３のように、断面形状が「コ」字状で長さ方向Ｘに延びた凹溝である。具体的には、保持凹部５４は、給電側覆部５７と発光側覆部５８と端面側覆部５９を内壁とし、第１面発光パネル２０の端部を挿入することで第１面発光パネル２０を保持する保持溝である。
【００４２】
第２保持部５１は、第２面発光パネル２１を保持する部位である。
第２保持部５１は、図３のように第２内側保持部６５と、第２外側保持部６６で構成されており、保持部６５，６６によって保持凹部６４が形成されている。
【００４３】
第２内側保持部６５は、長さ方向Ｘに延びた長尺体であり、給電側覆部６７を備えている。
給電側覆部６７は、第２面発光パネル２１の給電面４２の一部を覆う部位であり、組み立て時に第２面発光パネル２１の給電面４２と面接触する接触面７０を有している。
第２外側保持部６６は、第２内側保持部６５と対をなし、第２内側保持部６５とともに第２面発光パネル２１を挟持する部位である。
第２外側保持部６６は、長さ方向Ｘに延びた板状体であり、発光側覆部６８と、端面側覆部６９を備えている。
発光側覆部６８は、第２面発光パネル２１の発光面４１の一部を覆う部位である。
端面側覆部６９は、第２面発光パネル２１の端面を覆う部位であり、発光側覆部６８から給電側覆部６７に向かって立ち上がった立壁部である。
【００４４】
保持凹部６４は、図３のように、断面形状が「コ」字状で長さ方向Ｘに延びた凹溝である。具体的には、保持凹部６４は、給電側覆部６７と発光側覆部６８と端面側覆部６９を内壁とし、第２面発光パネル２１の端部を挿入することで第２面発光パネル２１を保持する保持溝である。
【００４５】
連結部５２は、第１保持部５０と第２保持部５１を連結する板状部位である。
連結部５２は、第１保持部５０の一部と係合可能な第１係合部７２と、第２保持部５１の一部と係合可能な第２係合部７３を備えており、保持部５０，５１に各係合部７２，７３を係合させることで連結可能となっている。
【００４６】
第１給電配線２３は、図示しない複数の給電端子を備えた配線であり、当該複数の給電端子を各第１面発光パネル２０の給電部３３（図６（ｂ）参照）に接続することで、外部電源から各第１面発光パネル２０に給電可能となっている。
【００４７】
第２給電配線２４は、図示しない複数の給電端子を備えた配線であり、当該複数の給電端子を各第２面発光パネル２１の給電部４３（図６（ｄ）参照）に接続することで、外部電源から各第２面発光パネル２１に給電可能となっている。
【００４８】
規制部２５，２６は、図２のように、保持部材２２の長さ方向Ｘの端部に取り付けられ、面発光パネル２０，２１の長さ方向Ｘの移動を規制する部位である。規制部２５，２６は、環状であって中央に開口があり、当該開口に梁本体１０を挿入可能となっている。
【００４９】
ここで、梁構造３の各構成部材の位置関係について説明する。
【００５０】
保持本体２７，２８は、図４のように、各第１面発光パネル２０の横辺３５，３６及び第２面発光パネル２１の横辺４５，４６を保持している。
保持本体２７，２８は、各連結部５２が係合部７２，７３が保持部５０，５１と係合しており、連結部５２，５２の間に梁本体１０の周囲を囲繞する囲繞部７１が形成されている。すなわち、梁本体１０は、囲繞部７１に挿通されており、その周囲が各保持本体２７，２８及び面発光パネル２０，２１で囲まれている。
【００５１】
各第１面発光パネル２０は、図２（ａ）のように保持部材２２の長さ方向Ｘに一列に実質的に隙間なく並んでいる。
各第１面発光パネル２０の発光面３１は、上方を向いており、横辺３５，３６が長さ方向Ｘに延びた姿勢で保持本体２７，２８の第１保持部５０，５０によって保持されている。保持本体２７，２８の第１保持部５０，５０は、それぞれ長さ方向Ｘに隣接する第１面発光パネル２０，２０に跨って設けられており、複数の第１面発光パネル２０，２０を同時に保持している。
【００５２】
各第１面発光パネル２０は、図５のように、横辺３５側の端部が第１保持本体２７の保持凹部５４に挿入され、第１保持本体２７の第１内側保持部５５と第１外側保持部５６によって挟持されている。また、各第１面発光パネル２０は、横辺３５に対向する横辺３６側の端部が第２保持本体２８の保持凹部６４に挿入され、第２保持本体２８の第１内側保持部５５と第１外側保持部５６によって挟持されている。
すなわち、各第１面発光パネル２０は、保持本体２７，２８の保持部５０，５０によって厚み方向（鉛直方向）の移動が規制されている。
【００５３】
また、第１面発光パネル２０は、幅方向Ｙ（長さ方向Ｘに対する直交方向であって、鉛直方向に対する直交方向）において、第１保持本体２７の第１保持部５０と、第２保持本体２８の第１保持部５０の間に位置している。第１面発光パネル２０は、第１保持本体２７の端面側覆部５９と第２保持本体２８の端面側覆部５９によって幅方向Ｙの移動が規制されている。
【００５４】
第１面発光パネル２０は、図２（ａ）のように並設方向Ｘの外側に規制部２５，２６が位置しており、両端に位置する第１面発光パネル２０Ａ，２０Ｂは、規制部２５，２６によって長さ方向Ｘの外側への移動が規制されている。そのため、各第１面発光パネル２０は、並設方向Ｘに隣接する他の第１面発光パネル２０又は規制部２５，２６によって、並設方向Ｘの移動が制限されている。
【００５５】
第１面発光パネル２０の給電面３２側では、図５のように、幅方向Ｙに対向する保持本体２７，２８の給電側覆部５７，５７との間に第１給電配線２３が通過可能な第１配線空間７５が形成されている。
第１配線空間７５は、保持本体２７，２８の第１内側保持部５５，５５の間の隙間の空間であり、第１梁側配線溝１３内の第１連通空間７６と連通する空間である。言い換えると、第１配線空間７５は、接触面６０に形成された凹溝によって構成された空間であり、第１連通空間７６と一つの配線空間を形成している。
【００５６】
第１発光面３１を正面視したときの第１配線空間７５の幅は、第１面発光パネル２０の幅よりも小さく、第１連通空間７６の幅よりも大きい。また、第１配線空間７５は、第１面発光パネル２０の横辺３５，３６よりも内側に位置している。すなわち、第１配線空間７５の幅は、第１面発光パネル２０の幅よりも小さい。言い換えると、幅方向Ｙの第１面発光パネル２０の端部には形成されておらず、幅方向Ｙの中央側に位置している。
【００５７】
各第２面発光パネル２１は、図２（ｂ）のように保持部材２２の長さ方向Ｘに一列に実質的に隙間なく並んでいる。
各第２面発光パネル２１の発光面３１は、下方を向いており、長辺たる横辺４５，４６が長さ方向Ｘに延びた姿勢で保持本体２７，２８の第２保持部５１，５１によって保持されている。すなわち、各第２面発光パネル２１は、並設方向Ｘに延びており、各第２面発光パネル２１の発光面３１は、各第１面発光パネル２０の発光面３１とは反対側を向いている。
保持本体２７，２８の第２保持部５１，５１は、それぞれ長さ方向Ｘに隣接する第２面発光パネル２１，２１に跨って設けられており、複数の第２面発光パネル２１，２１を同時に保持している。
【００５８】
各第２面発光パネル２１は、図５のように、横辺４５側の端部が第１保持本体２７の保持凹部６４に挿入され、第１保持本体２７の第２内側保持部６５と第２外側保持部６６によって挟持されている。また、各第２面発光パネル２１は、横辺４５に対向する横辺４６側の端部が第２保持本体２８の保持凹部６４に挿入され、第２保持本体２８の第２内側保持部６５と第２外側保持部６６によって挟持されている。
すなわち、各第２面発光パネル２１は、保持本体２７，２８の保持部５１，５１によって厚み方向の移動が規制されている。
【００５９】
また、第２面発光パネル２１は、幅方向Ｙにおいて、第１保持本体２７の第２保持部５１と、第２保持本体２８の第２保持部５１の間に位置している。第２面発光パネル２１は、第１保持本体２７の端面側覆部６９と第２保持本体２８の端面側覆部６９によって幅方向Ｙの移動が規制されている。
【００６０】
第２面発光パネル２１は、図２（ｂ）のように並設方向Ｘの外側に規制部２５，２６が位置しており、両端に位置する第２面発光パネル２１Ａ，２１Ｂは規制部２５，２６によって長さ方向Ｘの外側への移動が規制されている。そのため、各第２面発光パネル２１は、並設方向Ｘに隣接する他の第２面発光パネル２１又は規制部２５，２６によって、並設方向Ｘの移動が制限されている。
【００６１】
第２面発光パネル２１の給電面４２側では、図５のように、幅方向Ｙに対向する保持本体２７，２８の給電側覆部６７，６７との間に第２給電配線２４が通過可能な第２配線空間８５が形成されている。
第２配線空間８５は、保持本体２７，２８の第２内側保持部６５，６５の間の隙間の空間であり、第２梁側配線溝１４内の第２連通空間８６と連通する空間である。言い換えると、第２配線空間８５は、接触面７０に形成された凹溝によって構成された空間であり、第２連通空間８６と一つの配線空間を形成している。
第２発光面４１を正面視したときの第２配線空間８５の幅は、第２面発光パネル２１の幅よりも小さく、第２連通空間８６の幅よりも大きい。また、第２配線空間８５は、第２面発光パネル２１の横辺４５，４６よりも内側に位置している。すなわち、第２配線空間８５の幅は、第２面発光パネル２１の幅よりも小さい。言い換えると、第２配線空間８５は、幅方向Ｙの第２面発光パネル２１の端部には形成されておらず、幅方向Ｙの中央側に位置している。
【００６２】
続いて、框構造５について説明する。
【００６３】
框構造５は、図１のように、住宅用内装品１００を土間タイル等で構成された床面６に設置したものである。
住宅用内装品１００は、床面６との間で段差を形成する台座であり、図７，図９のように、本体部１０１と、張出部１０２，１０３と、面発光パネル１０５と、給電配線１０６を備えている。
【００６４】
本体部１０１は、四角柱状の部位であり、図７，図８のように、天面形成部１１０と、底面形成部１１１と、側面形成部１１２〜１１５を備えている。
張出部１０２，１０３は、図８のように、本体部１０１の側面形成部１１２，１１３から水平方向に張り出した部位である。
張出部１０２，１０３は、ほぼ同様の構造を有する部材であり、張出方向が異なる。すなわち、張出部１０２が縦方向Ｙに張り出しているのに対して、張出部１０３は、横方向Ｘに張り出している。
そこで、以下の説明においては、縦方向Ｙに張り出す張出部１０２について主に説明し、横方向Ｘに張り出す張出部１０３において張出部１０２と同様の構成は、同様の付番をして説明を省略する。
【００６５】
各張出部１０２，１０３は、図９のように、張出本体１１６と、パネル格納溝１１７と、配線格納溝１１８を備えている。
張出本体１１６は、断面形状が矩形状の部位であり、図７，図９のように天面形成部１２０と、底面形成部１２１と、端面形成部１２２を備えている。
【００６６】
パネル格納溝１１７は、面発光パネル１０５を格納する溝であり、張出本体１１６の底面形成部１２１から上方に向けて深さをもった有底溝である。すなわち、パネル格納溝１１７は、面発光パネル１０５を格納可能なパネル格納空間１２５を有している。
パネル格納溝１１７は、図９のように、延び方向の端部が開放しておらず、延び方向に対して直交する方向に立ち上がった立壁部１３０が形成されている。
立壁部１３０は、面発光パネル１０５の延び方向への移動を規制する規制部であり、パネル格納空間１２５を仕切る壁である。
【００６７】
配線格納溝１１８は、図１０のように給電配線１０６を格納可能な溝であり、パネル格納溝１１７の底部からさらに上方に向けて深さをもった有底溝である。すなわち、配線格納溝１１８は、給電配線１０６を格納可能な配線空間１２６を有している。
配線格納溝１１８は、パネル格納溝１１７の底部の幅方向の中央側に形成されている。
配線空間１２６は、パネル格納空間１２５と連通しており、幅がパネル格納空間１２５の幅よりも小さい。パネル格納溝１１７の底部は、面発光パネル１０５の給電面３２に接触する接触面１２７を有している。
【００６８】
面発光パネル１０５は、梁構造３の第１面発光パネル２０と同様のものであり、図８のように、点灯時に発光面３１の発光領域３０から面状の拡散光が照射される面状光源である。すなわち、面発光パネル１０５は、図１０のように、発光面３１の反対面が給電配線１０６と接続可能な給電部３３を含む給電面３２となっている。
【００６９】
給電配線１０６は、梁構造３の第１給電配線２３と同様、外部電源から各面発光パネル１０５に給電する配線である。
面発光パネル１０５及び給電配線１０６は、機能的に同様であり、梁構造３の第１面発光パネル２０及び第１給電配線２３と説明が重複するため、説明を省略する。
【００７０】
ここで、框構造５の各構成部材の位置関係について説明する。
【００７１】
框構造５は、図７のように、住宅用内装品１００が床面６上に載置されて形成されており、張出部１０２，１０３と床面６との間には空間が形成されている。
本体部１０１の天面形成部１１０と張出部１０２，１０３の天面形成部１２０，１２０は、図７のように、面一となっている。
給電配線１０６は、図１０のように、配線格納溝１１８内に敷設されており、面発光パネル１０５の給電部３３と接続されている。すなわち、給電配線１０６は、配線格納溝１１８内に収まっており、面発光パネル１０５で隠されている。
面発光パネル１０５は、発光面３１が床面６側を向いており、パネル格納溝１１７に嵌まっている。すなわち、面発光パネル１０５は、パネル格納溝１１７の幅方向の側壁部によってパネル格納溝１１７の幅方向の移動が規制されており、パネル格納溝１１７の延び方向端部の側壁部たる立壁部１３０又は隣接する他の面発光パネル１０５によってパネル格納溝１１７の延び方向の移動が規制されている。
各面発光パネル１０５の発光面３１と張出部１０２，１０３の底面形成部１１１は、実質的に面一となっている。
ここでいう「実質的に面一」とは、厳密に面一である場合だけではなく、使用者の指が入らない程度の段差をもつものも含む。
【００７２】
本実施形態の梁構造３によれば、点灯時に、住宅用内装品１１の第１面発光パネル２０から上方に向かって光が放射され、第２面発光パネル２１から下方に向かって光が放射される。すなわち、第２面発光パネル２１は、床面６側を向いており、玄関にいる使用者側からみて直接光源として機能し、第１面発光パネル２０は、天井側を向いており、間接照明として機能する。そのため、開放性を維持しつつ、従来の寂寥感漂うブラケット空間照明とは異なり、暖かく安定感のある半空間・半壁面照明が実現できる。
また、第１実施形態の住宅用内装品１１によれば、上向きに光を照射する第１面発光パネル２０と下向きに光を照射する第２面発光パネル２１を一体的に組み込まれているので、未来的印象を与える照明として機能できる。
【００７３】
本実施形態の框構造５によれば、点灯時に住宅用内装品１００の面発光パネル１０５が床面６を向いており、床面６での反射光を利用する間接照明として機能する。そのため、面発光による柔らかく広範囲に拡がる光を床面６に照らすことにより、高級感を演出できる。また、使用者が框構造５を上がる際に段差に気づきやすい。
【００７４】
このように、第１実施形態のインテリア構造１によれば、梁構造３及び框構造５を備えているため、従来に比べて高級感に溢れ、外観に優れている。
【００７５】
続いて、本発明の第２実施形態の室内用作業装置２０１について説明する。なお、第１実施形態のインテリア構造１と同様の構成は、同様の付番をして説明を省略する。以下、同様とする。
【００７６】
第２実施形態の室内用作業装置２０１は、図１１のように、キッチンカウンター等の手作業装置であり、本実施形態では、テーブル２０４と対向して配されるテーブル対向型のキッチンカウンターである。
室内用作業装置２０１は、作業台２０２と、立壁部２０３と、住宅用内装品２０５を備えている。
作業台２０２は、使用者が手作業を行う際に使用される台であり、水平作業面２０６をもっている。
立壁部２０３は、作業台２０２の水平作業面２０６の端部から立ち上がった壁部であり、空間を水平方向に２つに区切る区切り壁である。
立壁部２０３は、図１２のように天板部２１０と、側面部２１１を備えている。
天板部２１０は、天面が皿等の載置物を載置する載置面をなす板体であり、水平方向に延びた長板である。
側面部２１１は、水平作業面２０６と天板部２１０を繋ぐ壁面であり、作業台２０２側から厚み方向に深さをもった格納空間２１２を備えている。
格納空間２１２は、住宅用内装品２０５を格納する空間であり、長さ方向Ｘに延びた空間である。
【００７７】
住宅用内装品２０５は、図１２のように面発光パネル１０５と、化粧板２２１と、固定部材２２２と、給電配線１０６と、規制部材２２４を備えている。
化粧板２２１は、透光性を有し、点灯時に面発光パネル１０５の発光領域３０から放射される光を厚み方向に透過可能となっている。
化粧板２２１は、所定の模様が形成されており、消灯時に所定の模様が呈されるものである。
具体的には、化粧板２２１は、パリトーン柄の結晶化ガラス板で構成されており、点灯時に光を透過し、消灯時にパリトーン柄が呈されるものである。
固定部材２２２は、面発光パネル１０５及び化粧板２２１を立壁部２０３に対して固定する部材であり、上下一対の固定部２３０，２３１で構成されている。
固定部２３０，２３１は、化粧板２２１の端部を挿入可能な化粧側凹部２３２と、面発光パネル１０５の端部を挿入可能なパネル側凹部２３３を備えている。
【００７８】
規制部材２２４は、格納空間２１２を作業台２０２側から閉塞する部材であり、面発光パネル１０５の並設方向Ｘの移動を規制する部材である。
【００７９】
続いて、第２実施形態の室内用作業装置２０１の各構成部材の位置関係について説明する。
【００８０】
住宅用内装品２０５は、格納空間２１２に挿入されている。
上端側固定部２３０の化粧側凹部２３２及びパネル側凹部２３３は、図１３のように、下方に向けて開放しており、下端側固定部２３１の化粧側凹部２３２及びパネル側凹部２３３は、上方に向けて開放している。そして、面発光パネル１０５及び化粧板２２１は、上端側固定部２３０と下端側固定部２３１の間に位置し、固定されている。
具体的には、面発光パネル１０５は、上端が上端側固定部２３０のパネル側凹部２３３に挿入されて固定されており、下端が下端側固定部２３１のパネル側凹部２３３に挿入されて固定されている。同様に、化粧板２２１は、上端が上端側固定部２３０の化粧側凹部２３２に挿入されて固定されており、下端が下端側固定部２３１の化粧側凹部２３２に挿入されて固定されている。
面発光パネル１０５の発光面３１と化粧板２２１の裏面（発光面３１側の面）との間には、隙間があり、発光領域３０から放射された光が拡散する拡散空間２３４が形成されている。
【００８１】
化粧板２２１は、図１４のように正面視したときに、面発光パネル１０５の並設方向（長さ方向Ｘ）に延びており、複数の面発光パネル１０５の発光領域３０と重なっている。すなわち、化粧板２２１は、複数の面発光パネル１０５の発光領域３０に跨って覆っている。
【００８２】
面発光パネル１０５の給電面３２側では、図１３のように、上端側固定部２３０と下端側固定部２３１の間に給電配線１０６が通過可能な配線空間２３５が形成されており、当該配線空間２３５に給電配線１０６が配されている。
【００８３】
面発光パネル１０５の発光面３１は、図１４のように、水平作業面２０６を通る仮想面Ｌに対して直交している。
面発光パネル１０５の発光面３１は、発光領域３０の下端部が仮想面Ｌから１ｃｍ以上１５ｃｍ以下の高さに位置していることが好ましい。すなわち、仮想面Ｌから発光領域３０の下端部までの距離Ｄは、１ｃｍ以上１５ｃｍ以下であることが好ましい。
こうすることで、水平作業面２０６を適度に照らしつつ、水平作業面２０６に水たまりが形成された場合でも面発光パネル１０５の発光領域３０が水たまりに浸かりにくく、短絡等の発生を防止できる。
【００８４】
第２実施形態の室内用作業装置２０１によれば、消灯時において、化粧板２２１に施された模様を呈しており、面発光パネル１０５の発光領域３０は化粧板２２１に隠されて実質的に視認不能となっている。一方、室内用作業装置２０１は、点灯時において、面発光パネル１０５の発光領域３０から放射された光が化粧板２２１を透過し、化粧板２２１全体が光る。そのため、化粧板２２１に施された模様が発光領域３０から照射された光によって消失したように見える。
【００８５】
第２実施形態の室内用作業装置２０１によれば、手作業を行う作業対象物への集中力を高めつつ、作業面上に載置された作業対象物をその位置によらず、再現性良く照らすことができる。また、面発光パネル１０５として有機ＥＬパネルを使用しているので、使用者の眼に優しい局所照明として機能できる。
【００８６】
第２実施形態の室内用作業装置２０１によれば、面発光パネル１０５の発光領域３０から化粧板２２１を透過させて作業台２０２を照らすため、作業台２０２廻りの豪華さを演出できる。
第２実施形態の室内用作業装置２０１によれば、化粧板２２１を所望の柄とすることで、使用者の趣味に合わせて装飾することができ、建物の趣に調和させることができる。
【００８７】
ところで、第２実施形態の室内用作業装置２０１は、テーブル２０４と対向するように配されるキッチンカウンターである。室内用作業装置２０１側の空間をテーブル２０４側の空間に比べて明るくすると、室内用作業装置２０１側の空間が強調されてしまう。そのため、テーブル２０４側の空間を強調するためには、室内用作業装置２０１側の空間をテーブル側の空間に比べて暗くし、テーブル２０４側の空間の明るさを損なわない全体的な暗さを維持する必要がある。このような場合、室内用作業装置２０１側の空間が暗くなり、手元の作業台２０２が暗がりとなるので、使用者が作業しにくいという問題がある。そこで、第２実施形態の室内用作業装置２０１は、立壁部２０３の影となる部分に向かって面発光パネル１０５が局所的に設けられるので、作業台２０２上を局所的に照明でき、使用者が作業しやすい。
【００８８】
続いて、本発明の第３実施形態の手摺装置３００について説明する。
【００８９】
第３実施形態の手摺装置３００は、図１５のように、階段の手摺を構成するものであり、壁面３０８に取り付けられるものである。手摺装置３００は、住宅の内装に使用される住宅用内装品であり、図１６，図１７のように、保持部材３０２と、面発光パネル３２１と、給電配線３２３を備えている。
保持部材３０２は、図１７のように、本体部３０３と、規制部材３０４，３０５を備えている。
本体部３０３は、図１８のように、把持部３０６と、保持部３０７を備えている。
把持部３０６は、主に使用者が階段の上り下りする際に把持可能な部位である。
保持部３０７は、配線格納溝１１８と、パネル格納溝１１７を備えている。
規制部材３０４，３０５は、パネル格納溝１１７に沿った面発光パネル３２１の移動を規制する部材である。
規制部材３０４は、本体部３０３の端面を覆う化粧部材である。
規制部材３０５は、本体部３０３を壁面３０８に固定し、支持する支持部材である。すなわち、規制部材３０５は、ブラケットとして機能する部材であり、棒状に延びる部材である。
【００９０】
面発光パネル３２１は、第１実施形態の第２面発光パネル２１と同様の構成を備えており、点灯時に発光面４１の発光領域４０から面状の拡散光が照射される面状光源である。
面発光パネル３２１は、長方形状であり、長辺たる横辺４５，４６と短辺たる縦辺４７，４８を備えている。
【００９１】
給電配線３２３は、第１実施形態の第２給電配線２４と同様、外部電源から各面発光パネル３２１に給電する配線である。
【００９２】
続いて、第３実施形態の手摺装置３００の各部材の位置関係について説明する。
【００９３】
面発光パネル３２１は、図１８のように、パネル格納溝１１７内に並設されて格納されており、発光面４１と保持部３０７の壁面３０８と対向する部分が実質的に面一となっている。
パネル格納溝１１７の底部は、面発光パネル３２１の給電面４２に接触しており、接触面３７０を構成している。
規制部材３０５は、一方の端部が保持部材３０２のパネル格納溝１１７に取り付けられ、他方の端部が壁面３０８に固定されている。
規制部材３０５は、並設方向に隣接する面発光パネル３２１，３２１の間に配されており、面発光パネル３２１は、規制部材３０５によって並設方向の移動が規制されている。
面発光パネル３２１は、規制部材３０５によって固定されており、発光面４１が壁面３０８と間隔を空けて対面している。
【００９４】
第３実施形態の手摺装置３００によれば、面発光パネル３２１がパネル格納溝１１７内に格納されているため、面発光パネル３２１の納まりが良好であり、使用者が把持する際に邪魔になりにくい。
【００９５】
第３実施形態の手摺装置３００によれば、面発光パネル３２１の発光面４１が間隔を空けて壁面３０８と対面しているので、面発光パネル３２１の発光領域４０から放射される光が壁面３０８に沿って光が大きく広がり、従来にはない幻想的な空間を形成できる。
【００９６】
続いて、第４実施形態の洗面台ユニット４００について説明する。
【００９７】
第４実施形態の洗面台ユニット４００は、図１９のように、サニタリー空間４０３に配されるものであり、住宅用内装品４０１と、洗面台４０２で構成されている。
住宅用内装品４０１は、大面積化粧鏡であり、図２０，図２１，図２２のように、鏡本体４１０と、面発光パネル１０５ａ，１０５ｂと、給電配線１０６ａ，１０６ｂで構成されている。
鏡本体４１０は、鏡本体部４１１と、保持部４１２で構成されている。
鏡本体部４１１は、図１９のように、化粧鏡として機能する部位であり、鏡面部４１５と、複数の発光部４１６を備えた鏡面形成面４１７を有している。
鏡面部４１５は、消灯時及び点灯時のいずれも鏡面を構成する部位である。
発光部４１６は、有機ＥＬパネルが内蔵され、面状光源とするものであり、点灯時に発光し、消灯時に鏡面部４１５とともに全体として一つの鏡を構成する。
【００９８】
保持部４１２は、壁面４０４に対して鏡本体部４１１を取り付ける部位であり、天面４１３及び底面４１４に配線格納溝１１８とパネル格納溝１１７をそれぞれ備えている。
【００９９】
面発光パネル１０５ａは、保持部４１２の天面４１３に設けられたパネル格納溝１１７に取り付けられる天面側パネルであり、面発光パネル１０５ｂは、保持部４１２の底面４１４に設けられたパネル格納溝１１７に取り付けられる底面側パネルである。
給電配線１０６ａは、保持部４１２の天面４１３に設けられた配線格納溝１１８に格納され、面発光パネル１０５ａに給電する天面側配線であり、給電配線１０６ｂは、保持部４１２の底面４１４に設けられた配線格納溝１１８に格納され、面発光パネル１０５ｂに給電する底面側配線である。
【０１００】
洗面台４０２は、図１９のように、水栓４２０と、洗面器４２１を備えており、水栓４２０から湯水を洗面器４２１に向かって吐出することが可能となっている。
【０１０１】
続いて、第４実施形態の洗面台ユニット４００の各部材の位置関係について説明する。
【０１０２】
天面４１３側の面発光パネル１０５ａは、図２１のように、発光面３１が上方を向いており、底面４１４側の面発光パネル１０５ｂは、発光面３１が下方を向いている。
保持部４１２の天面４１３は、鏡本体部４１１の天面との間に天地方向の段差があり、保持部４１２の底面４１４は、鏡本体部４１１の底面との間に天地方向の段差がある。そのため、保持部４１２は、正面視したときに鏡本体部４１１によって隠されて視認不能となっている。
面発光パネル１０５ｂの発光領域３０は、水栓４２０と間隔を空けて対向しており、水栓４２０に向かって光を照射可能となっている。
【０１０３】
面発光パネル１０５の給電面３２側では、配線格納溝１１８，１１８に給電配線１０６ａ，１０６ｂが配されており、パネル格納溝１１７，１１７に面発光パネル１０５ａ，１０５ｂが配されている。
【０１０４】
第４実施形態の住宅用内装品４０１によれば、図２３（ａ）のように消灯時に発光部４１６及び鏡面部４１５を備えた鏡面形成面４１７の全面が一つの鏡となる。そのため、大面積の化粧鏡として機能できる。
【０１０５】
第４実施形態の洗面台ユニット４００によれば、発光部４１６が有機ＥＬパネルを光源とするので、柔らかく広がった自然光に近い光を使用者の顔に照射することができる。そのため、使用者の顔を鏡面部４１５に美しく映すことができる。
第４実施形態の洗面台ユニット４００によれば、上方に向かって光を照射する面発光パネル１０５ａと、下方に向かって光を照射する面発光パネル１０５ｂを備えている。すなわち、点灯時に面発光パネル１０５ａが天井を照らしており、面発光パネル１０５ｂが水栓４２０側を照らす。そのため、水栓４２０側を向いた面発光パネル１０５ｂにより、洗面中の使用者の手等を局所的に照明でき、洗顔を行いやすい。また、図２３（ｂ）のように、発光部４１６からの放射光、面発光パネル１０５ａの天井での反射光、面発光パネル１０５ｂの洗面台４０２での反射光の三方向からの光により、サニタリー空間４０３を照らすことができるので、従来にない幻想的なサニタリー空間４０３を演出することができる。
【０１０６】
上記した第１、３、４実施形態では、面発光パネルの発光面が外部に露出していたが、本発明はこれに限定されるものではない。面発光パネルの発光面を保護する保護カバーや保護パネルを設けてもよい。
【０１０７】
上記した第１実施形態では、接触面６０，７０は、面発光パネル２０，２１の給電面３２，４２に直接的に接触していたが、本発明はこれに限定されるものではない。接触面６０，７０と給電面３２，４２は、間接的に接触していてもよい。すなわち、接触面６０，７０と給電面３２，４２の間に他の部材が介在していてもよい。
【０１０８】
上記した第１実施形態では、発光領域の形状が異なる２種類の面発光パネルを使用していたが、本発明はこれに限定されるものではない。同一種類の面発光パネルを使用していてもよい。
【０１０９】
上記した第１実施形態では、梁本体１０を囲むように住宅用内装品１１を取り付けていたが、本発明はこれに限定されるものではない。取付対象物は問わない。例えば、柱を囲むように住宅用内装品１１を取り付けてもよい。
【０１１０】
上記した第１実施形態では、各保持本体２７，２８は、連結部５２の係合部７２，７３を保持部５０，５１に係合させることによって固定し、一体となっていたが、本発明はこれに限定されるものではない。連結部と保持部の固定構造は、特に問わない。例えば、接着剤等によって一体となっていてもよい。
【０１１１】
上記した実施形態における框構造５、手摺装置３００、洗面台ユニット４００では、面発光パネルを溝に嵌めることによって固定していたが、本発明はこれに限定されるものではない。梁構造３のように内側保持部と外側保持部によって面発光パネルの発光面及び給電面を挟むことによって面発光パネルを固定してもよいし、室内用作業装置２０１のようにパネル側凹部２３３の端面を嵌めることによって面発光パネルを固定してもよい。
【０１１２】
上記した実施形態では、面発光パネルの並設方向の両端部に規制部を設けたが、本発明はこれに限定されるものではない。面発光パネルの並設方向の一方の端部のみに規制部を設けてもよいし、並設方向に隣接する面発光パネル間に規制部を設けてもよい。
【０１１３】
上記した実施形態は、本発明の技術的範囲に含まれる限り、各実施形態間で各構成部材を自由に置換や付加できる。
【符号の説明】
【０１１４】
１  インテリア構造
３  梁構造
５  框構造
６  床面
７ａ，７ｂ，３０４，４０４  壁面
１０  梁本体
１１，１００，２０５，４０１  住宅用内装品
１３  第１梁側配線溝
１４  第２梁側配線溝
２０，２０Ａ，２０Ｂ，２０ａ，２０ｂ  第１面発光パネル
２１，２１Ａ，２１Ｂ  第２面発光パネル
２２，３０２  保持部材
２３，２３ａ，２３ｂ  第１給電配線
２４  第２給電配線
２５，２６  規制部
３０  発光領域
３１  第１発光面
３２，４２  給電面
３３，４３  給電部
３５，３６，４５，４６  横辺（対向する２辺）
４０  第２発光領域
４１  第２発光面
５０  第１保持部
５１  第２保持部
５５  第１内側保持部
５６  第１外側保持部
５７，６７  給電側覆部
５８，６８  発光側覆部
６０，７０，１２７  接触面
６５  第２内側保持部
６６  第２外側保持部
７１  囲繞部
７５  第１配線空間
７６  第１連通空間
８５  第２配線空間
８６  第２連通空間
１０１  本体部
１０２，１０３  張出部
１０５，１０５ａ，１０５ｂ，３２１  面発光パネル
１０６，３２３  給電配線
１１８  配線格納溝
１２６  配線空間
１３０  立壁部（規制部）
２０１  室内用作業装置
２０２  作業台
２０６  水平作業面
２２１  化粧板
２２４，３０５  規制部材（規制部）
３００  手摺装置
３０６  把持部
３０７  保持部
４００  洗面台ユニット
４０２  洗面台
４１１  鏡本体部
４１２  保持部
４１６  発光部
４１７  鏡面形成面
４２０  水栓
【図１】
2019197656.tif 000003
【図２】
2019197656.tif 000004
【図３】
2019197656.tif 000005
【図４】
2019197656.tif 000006
【図５】
2019197656.tif 000007
【図６】
2019197656.tif 000008
【図７】
2019197656.tif 000009
【図８】
2019197656.tif 000010
【図９】
2019197656.tif 000011
【図１０】
2019197656.tif 000012
【図１１】
2019197656.tif 000013
【図１２】
2019197656.tif 000014
【図１３】
2019197656.tif 000015
【図１４】
2019197656.tif 000016
【図１５】
2019197656.tif 000017
【図１６】
2019197656.tif 000018
【図１７】
2019197656.tif 000019
【図１８】
2019197656.tif 000020
【図１９】
2019197656.tif 000021
【図２０】
2019197656.tif 000022
【図２１】
2019197656.tif 000023
【図２２】
2019197656.tif 000024
【図２３】
2019197656.tif 000025